(57)【要約】【課題】複数の打楽器の位置調整を効率よく行うことができるドラムスタンドを提供すること。【解決手段】支柱パイプ２０が床面Ｆに対して傾斜し、支柱パイプ２０の上端が下端よりも後方に配置されている。第１ホルダ４０を支柱パイプ２０の軸方向に沿ってスライド移動させることで、保持パイプ１０及びその保持パイプ１０に保持された複数の打楽器の高さ位置および前後位置を調整することができる。【選択図】図１
2016014744.tif 000002
【特許請求の範囲】
【請求項１】
打楽器を保持する第１パイプと、その第１パイプが連結される第２パイプと、その第２パイプを床面に対して支持する脚部材とを備えたドラムスタンドにおいて、
前記第１パイプは、前記第２パイプの軸方向に沿ってスライド可能に構成され、
前記脚部材は、前記第２パイプの下端を床面に接地させつつ前記第２パイプの下端よりも水平方向一方側で床面に接地し、前記第２パイプの上端を前記第２パイプの下端よりも水平方向一方側に配置した状態で支持することを特徴とするドラムスタンド。
【請求項２】
前記第１パイプと前記第２パイプとを連結すると共に、前記第２パイプに対する取付位置が変更可能に構成された第１ホルダを備えていることを特徴とする請求項１記載のドラムスタンド。
【請求項３】
前記第２パイプは、その軸方向に沿って伸縮可能に構成されていることを特徴とする請求項１又は２に記載のドラムスタンド。
【請求項４】
前記脚部材と前記第２パイプとを連結すると共に、前記第２パイプに対する取付位置が変更可能に構成された第２ホルダを備えていることを特徴とする請求項１から３のいずれかに記載のドラムスタンド。
【請求項５】
前記脚部材は、床面に接地する接地部を備え、
その接地部は、床面との接地面が球面状に形成されていることを特徴とする請求項４記載のドラムスタンド。
【請求項６】
前記脚部材は、前記第２パイプに一端が連結されると共に前記第２パイプから水平方向一方側へ向けて延設される第１脚部と、その第１脚部の他端に連結されると共に前記第１脚部と交差する方向へ延設される第２脚部とを備えたＴ字状に形成されていることを特徴とする請求項１から５のいずれかに記載のドラムスタンド。
【請求項７】
前記脚部材は、前記第１脚部または前記第２脚部の少なくともいずれか一方は、前記第１脚部の他端または前記第２脚部の両端が床面へ近接するように湾曲形成されていることを特徴とする請求項６記載のドラムスタンド。
【発明の詳細な説明】
【技術分野】
【０００１】
本発明は、ドラムスタンドに関し、特に、複数の打楽器の位置調整を効率よく行うことができるドラムスタンドに関するものである。
【背景技術】
【０００２】
複数の打楽器を保持可能なドラムスタンドが知られている。ドラムスタンドは、演奏者にとって打撃しやすい方向へ打面を水平方向に対して傾けた状態で、打楽器を保持することができるように構成されている。
【０００３】
こうしたドラムスタンドの一例として、特許文献１には、床面に対して垂直に立設されるセンターパイプ（第２パイプ）に、水平方向へ延びるアームパイプ（第１パイプ）が連結されたドラムスタンドが開示されている。
【先行技術文献】
【特許文献】
【０００４】
【特許文献１】特開２００８−２３３５２３号公報(図１，２など)
【発明の概要】
【発明が解決しようとする課題】
【０００５】
打楽器を演奏しやすい適正な位置へ配置しようとする場合、演奏者は、自らの身長や手足の長さに合わせて、複数の打楽器を上下方向および前後方向（演奏者から視て手前側または奥側）へ移動させてそれら複数の打楽器の位置調整を行う。
【０００６】
しかしながら、上述した従来のドラムスタンドでは、演奏者が複数の打楽器を適正な位置に移動させる場合に、センターパイプの軸方向に沿ってアームパイプをスライドさせて打楽器の上下方向の位置調整を行う作業と、センターパイプを軸としてアームパイプを軸回転させて打楽器の前後方向の位置調整を行う作業との２つの作業が必要となり、複数の打楽器の位置調整が繁雑になるという問題点があった。
【０００７】
本発明は、上述した問題点を解決するためになされたものであり、複数の打楽器の位置調整を効率よく行うことができるドラムスタンドを提供することを目的としている。
【課題を解決するための手段および発明の効果】
【０００８】
請求項１記載のドラムスタンドによれば、脚部材は、第２パイプの上端を下端よりも水平方向一方側に配置した状態で支持する。即ち、第２パイプは、床面に対して傾斜した状態で脚部材に支持される。
【０００９】
これにより、ドラムスタンドの水平方向他方側にいる演奏者は、第２パイプの軸方向に沿って第１パイプをスライドさせることで、第１パイプに保持された打楽器を、上方へ移動させると同時に演奏者から視て奥側（水平方向一方側）へ、あるいは、下方へ移動させると同時に演奏者から視て手前側（水平方向他方側）へ移動させることができる。
【００１０】
即ち、一般に、演奏者の背が高ければ、それに応じて手足も長くなり、演奏者の背が低ければ、それに応じて手足も短くなる。従って、通常、打楽器の位置調整を行う場合、複数の打楽器を全体的に上方かつ演奏者から視て奥側へ、あるいは、下方かつ演奏者から視て手前側へ移動させることになる。
【００１１】
この点に関し、請求項１記載のドラムスタンドによれば、第１パイプを第２パイプの軸方向に沿ってスライドさせるという一の作業で、上方かつ演奏者から視て奥側へ、あるいは、下方かつ演奏者から視て手前側へ複数の打楽器を移動させることができる。よって、複数の打楽器の位置調整を効率よく行うことができるという効果がある。
【００１２】
さらに、第２パイプは、その下端を床面に接地させた状態で脚部材に支持されており、第２パイプの下方部分と脚部材とがドラムスタンドの脚構造として構成されている。このように、第２パイプをドラムスタンドの脚構造の一部として利用することで、安定した状態で第２パイプを支持することができるという効果がある。
【００１３】
また、脚部材は、第２パイプの下端よりも水平方向一方側で床面に接地し、水平方向一方側へ傾倒しようとする第２パイプを一方向側から支持するので、第２パイプを安定的に支持することができるという効果がある。
【００１４】
請求項２記載のドラムスタンドによれば、請求項１記載のドラムスタンドの奏する効果に加え、第２パイプに対する第１ホルダの取付位置を変更することを通して、第１パイプの位置調整を行うことができるという効果がある。さらに、第２パイプに複数の第１パイプが保持されている場合には、各々の第１パイプの位置調整を別個に行うことができるので、打楽器の配置の微調整を行いやすくすることができるという効果がある。
【００１５】
請求項３記載のドラムスタンドによれば、請求項１又は２に記載のドラムスタンドの奏する効果に加え、第２パイプをその軸方向に沿って伸縮させることを通して、第１パイプの位置調整を行うことができるという効果がある。さらに、第２パイプに複数の第１パイプが保持されている場合には、それら複数の第１パイプの位置調整を一斉に行うことができるので、打楽器の配置を効率よく調整することができるという効果がある。
【００１６】
請求項４記載のドラムスタンドによれば、請求項１から３のいずれかに記載のドラムスタンドの奏する効果に加え、第２パイプに対する第２ホルダの取付位置の変更によって第２パイプに対する脚部材の取付位置を変更し、第２パイプの床面に対する傾斜角度を変更することを通して、第１パイプの位置調整を行うことができるという効果がある。また、第２パイプに複数の第１パイプが保持されている場合には、それら複数の第１パイプの位置調整を一斉に行うことができるので、打楽器の配置を効率よく調整することができるという効果がある。
【００１７】
請求項５記載のドラムスタンドによれば、請求項４記載のドラムスタンドの奏する効果に加え、接地部は、床面に対する接地する部位が球面状に形成されているので、第２パイプに対する脚部材の取付位置を変更した場合でも、接地部を確実に床面に接地させて、ドラムスタンドの安定性を向上させることができるという効果がある。
【００１８】
請求項６記載のドラムスタンドによれば、請求項１から５のいずれかに記載のドラムスタンドの奏する効果に加え、脚部材が、第２パイプに一端が連結される第１脚部と、その第１脚部の他端に連結される第２脚部とを備えたＴ字状に形成されているので、脚部材の構造を簡素化しつつ、第２パイプを安定的に支持できるという効果がある。
【００１９】
請求項７記載のドラムスタンドによれば、請求項６記載のドラムスタンドの奏する効果に加え、第１脚部または第２脚部の少なくともいずれか一方は、第１脚部の他端または第２脚部の両端が床面へ近接するように湾曲形成されているので、脚部材の小型化を図ることができるという効果がある。
【図面の簡単な説明】
【００２０】
【図１】第１実施の形態におけるドラムスタンドの斜視図である。
【図２】ドラムセットの斜視図である。
【図３】ドラムセットの側面図である。
【図４】第２実施の形態におけるドラムスタンドの斜視図である。
【図５】（ａ）は、ドラムスタンドの側面図であり、（ｂ）は、図５（ａ）のＶｂ部分を部分的に断面視したドラムスタンドの部分拡大断面図である。
【図６】ドラムセットの正面図である。
【発明を実施するための形態】
【００２１】
以下、本発明の好ましい実施の形態について添付図面を参照して説明する。まず、図１を参照して、本発明の第１実施の形態におけるドラムスタンド１００について説明する。図１は、第１実施の形態におけるドラムスタンド１００の斜視図である。
【００２２】
なお、図中の矢印Ｕ−Ｄ，Ｌ−Ｒ，Ｆ−Ｂは、ドラムスタンド１００の上下方向、左右方向、前後方向をそれぞれ示している。また、図中では、演奏者から視た手前側をドラムスタンド１００の前方、演奏者から視た奥側をドラムスタンド１００の後方とし、ドラムスタンド１００の左右方向は、演奏者から視た方向を基準とする。
【００２３】
ドラムスタンド１００は、打楽器を保持する３本の保持パイプ１０と、それら３本の保持パイプ１０を支持する支柱パイプ２０と、その支柱パイプ２０を床面Ｆに対して傾斜させた状態で支持する脚部材３０と、を主に備えている。
【００２４】
保持パイプ１０は、直線状に延びるパイプ状部材から構成されている。３本の保持パイプ１０のうち最上段に位置する上段パイプ１１は、その軸方向長さ（図１Ｌ−Ｒ方向の長さ）が上段パイプ１１の下方に位置する中段パイプ１２よりも長く、かつ、中段パイプ１２の下方に位置する下段パイプ１３よりも短い寸法に設定されている。
【００２５】
支柱パイプ２０は、直線状に延びるパイプ状部材から構成されており、保持パイプ１０は、第１ホルダ４０を介して支柱パイプ２０に連結されている。
【００２６】
第１ホルダ４０は、筒状の第１把持部４１と、その第１把持部４１に隣接する断面略Ｃ字状の第１締付部４２と、その第１締付部４２の周方向両端にそれぞれ形成された孔に挿通されて第１締付部４２の周方向両端どうしを連結する第１ボルト４３とを備えている。
【００２７】
第１把持部４１は、保持パイプ１０を把持する部位であり、第１締付部４２は、支柱パイプ２０を締付固定する部位である。第１把持部４１と第１締付部４２とは、それらの中心軸が互いに垂直となるように構成され、保持パイプ１０と支柱パイプ２０とが第１ホルダ４０に連結された状態では、保持パイプ１０が支柱パイプ２０に対して垂直に延びる。
【００２８】
第１ホルダ４０は、第１ボルト４３の締付量を調整することにより第１締付部４２の内径が可変に構成されている。即ち、第１ボルト４３を締め付けて第１締付部４２の内径を小さくすることにより、第１締付部４２を支柱パイプ２０に固定することができ、第１ボルト４３の締付を緩めて第１締付部４２の内径を大きくすることにより、支柱パイプ２０に対する第１締付部４２の固定を解除できる。
【００２９】
従って、ドラムスタンド１００では、支柱パイプ２０に対する第１ホルダ４０の固定解除および再固定を行うことにより、支柱パイプ２０に対する第１ホルダ４０の取付位置（支柱パイプ２０の軸方向における第１ホルダ４０の取付位置）を変更でき、その第１ホルダ４０の取付位置の変更を通して、支柱パイプ２０に対する保持パイプ１０の取付位置（保持パイプ１０を連結する、支持パイプ２０の軸方向における位置）を変更することができる。
【００３０】
脚部材３０は、支柱パイプ２０に一端が連結される第１脚部３１と、その第１脚部３１と交差する方向へ延びる第２脚部３２と、を主に備え、第１脚部３１の他端部分と第２脚部３２の軸方向中心部分とを連結することにより脚部材３２が略Ｔ字状に形成されている。これにより、脚部材３０の構造を簡素化しつつ、支柱パイプ２０を安定的に支持することができる
【００３１】
第１脚部３１は、直線状に延びるパイプ状部材から構成され、第２脚部３２は、湾曲したパイプ状部材から構成されている。
【００３２】
第２脚部３２の軸方向両端部分には、球状に形成された接地部３３が装着されている。接地部３３は、第２脚部３２よりも高い弾性を有する弾性体から構成されており、第２脚部３２は、接地部３３を介して床面Ｆに接地している。
【００３３】
第２脚部３２は、その軸方向中央部分が両端部分よりも上方に位置し、軸方向中央部分から両端へ向かうにつれて床面Ｆへ近接するように湾曲形成されている。
【００３４】
これにより、第２脚部３２が直線状に形成される場合と比べて、第１脚部３１の軸方向長さを短くすることができる。また、両端が床面Ｆへ近接するように第２脚部３２が湾曲形成されているので、その分、接地部３３の高さ寸法を小さくして接地部３３の小型化を図ることができる。その結果、脚部材３０全体の小型化を図ることができると共に、脚部材３０の製造コストを抑制することができる。
【００３５】
脚部材３０は、第１ホルダ４０よりも下方に位置する第２ホルダ５０を介して支柱パイプ２０に連結されている。
【００３６】
第２ホルダ５０は、筒状の第２把持部５１と、その第２把持部５１に連設される断面略Ｃ字状の第２締付部５２と、その第２締付部５２の周方向両端に形成された孔に挿通されて第２締付部５２の周方向両端どうしを連結する第２ボルト５３とを備えている。
【００３７】
第２把持部５１は、第１脚部３１を把持する部位であり、第２締付部５２は、支柱パイプ２０を締付固定する部位である。第２把持部５１と第２締付部５２とは、それらの中心軸が互いに垂直となるように構成され、第２把持部５１の軸方向一端側が第２締付部５２の外周面に連結されている。よって、脚部材３０と支柱パイプ２０とが第２ホルダ５０に連結された状態では、第１脚部３１が支柱パイプ２０に対して垂直へ延びる。
【００３８】
第２ホルダ５０は、第２ボルト５３の締付量を調整することによって第２締付部５２の内径が可変に構成されている。即ち、第２ボルト５３を締め付けて第２締付部５２の内径を小さくすることにより、第２締付部５２を支柱パイプ２０に固定することができ、第２ボルト５３の締付を緩めて第２締付部５２の内径を大きくすることにより、支柱パイプ２０に対する第２締付部５２の固定を解除できる。
【００３９】
従って、ドラムスタンド１００では、支柱パイプ２０に対する第２ホルダ５０の固定解除および再固定を行うことにより、支柱パイプ２０に対する第２ホルダ５０の取付位置（支柱パイプ２０の軸方向における第２ホルダ５０の取付位置）を変更でき、その第２ホルダ５０の取付位置の変更を通して、支柱パイプ２０に対する脚部材３０の取付位置（脚部材３０を連結する、支持パイプ２０の軸方向における位置）を変更することができる。
【００４０】
ここで、接地部３３は、支柱パイプ２０の下端にも装着されており、ドラムスタンド１００は、支柱パイプ２０及び第２脚部３２の両端に装着された３つの接地部３３が床面Ｆに接地可能に構成されている。
【００４１】
即ち、支柱パイプ２０は、その下端を床面Ｆに接地させた状態で脚部材３０に支持されており、支柱パイプ２０の下方部分（第２ホルダ５０が固定される位置よりも下方部分）と脚部材３０とがドラムスタンド１００の脚構造として構成されている。このように、支柱パイプ２０をドラムスタンド１００の脚構造の一部として利用することで、安定した状態で支柱パイプ２０を支持することができると共に、ドラムスタンド１００の部品コストを低減させることができる。
【００４２】
支柱パイプ２０は、その上端が下端よりも後方に配置され、支柱パイプ２０の中心軸を床面Ｆに対して傾斜させた状態で脚部材３０に支持されている。脚部材３０は、第１脚部３１が支柱パイプ２０から後方へ向けて延び、接地部３３が支柱パイプ２０の下端よりも後方で床面Ｆに接地している。このように、後方へ傾倒しようとする支柱パイプ２０を脚部材３０が後方側から支持するので、支柱パイプ２０を安定的に支持することができる。
【００４３】
次に、図２及び図３を参照して、ドラムスタンド１００の使用態様について説明する。図２は、ドラムセット１の斜視図であり、ドラムスタンド１００に複数の電子打楽器が保持された状態を図示している。図３は、ドラムセット１の側面図であり、図３（ｂ）に示すドラムセット１の支柱パイプ２０は、図３（ａ）に示すドラムセット１の支柱パイプ２０よりも床面Ｆに対する傾斜角度が大きく設定され、図３（ｃ）に示すドラムセット１の支柱パイプ２０よりも床面Ｆに対する傾斜角度が小さく設定されている。
【００４４】
図２に示すように、ドラムセット１には、シンバルやスネアドラム、タムタム等を模した電子打楽器が保持パイプ１０に保持され、床面Ｆには、演奏者による踏込操作に伴って演奏される電子打楽器として構成されるペダル装置Ｐが配設されている。
【００４５】
ドラムセット１では、保持パイプ１０が支柱パイプ２０に連結され、その支柱パイプ２０は上端が下端よりも後方側へ配置されることにより、下段パイプ１３が前方に、上段パイプ１１が後方に配置される。
【００４６】
１の保持パイプ１０には複数の電子打楽器が保持されており、それら複数の電子打楽器の位置調整は、支柱パイプ２０に対する第１ホルダ４０の取付位置を変更することを通して行うことができる。
【００４７】
ここで、複数の打楽器の位置調整を行うにあたり、打楽器の位置調整を行おうとする演奏者が、先に使用していた演奏者よりも背が高い場合には、手足の長さも長く、先に使用していた演奏者よりも背が低い場合には、手足の長さも短いのが通常である。
【００４８】
従って、打楽器を演奏しやすい適正な位置へ移動させようとする場合、演奏者は、自らの身長や手足の長さに応じて、複数の打楽器を上方かつ演奏者から視て奥側、あるいは、下方かつ演奏者から視て手前側へ、位置調整することがほとんどであると想定される。
【００４９】
これに対し、ドラムセット１は、支柱パイプ２０が床面Ｆに対して傾斜し、支柱パイプ２０の上端が下端よりも後方に配置されているので、第１ホルダ４０を支柱パイプ２０の軸方向に沿ってスライド移動させることで、保持パイプ１０に保持された複数の打楽器の床面からの高さ位置調整に加え、複数の打楽器の前後方向への位置調整を同時に行うことができる。
【００５０】
即ち、第１ホルダ４０を上方へ移動させた場合には、保持パイプ１０を上方、かつ、後方（演奏者から視て奥側）へ移動させることができ、第１ホルダ４０を下方へ移動させた場合には、保持パイプ１０を下方、かつ、前方（演奏者から視て手前側）へ移動させることができる。よって、複数の打楽器の位置調整を効率よく行うことができる。
【００５１】
このとき、保持パイプ１０に保持された打楽器は、支柱パイプ２０の軸方向に沿ってスライド移動するので、打楽器の打面が演奏者から視て左側または右側へ向けられることを防止できる。
【００５２】
即ち、保持パイプ１０に保持された打楽器の前後位置を調整するにあたり、支柱パイプ２０を軸として保持パイプ１０を回動させた場合には、打楽器も支柱パイプ２０を軸として回転移動し、打楽器の打面が演奏者から視て左側または右側へ向けられる。この場合、打面を打撃するために縦方向へ振り下されたスティックは、打面が向けられた左側または右側へ跳ね返される。そのため、例えば、打面を連打しようとする場合等において、演奏がしづらくなるといった不具合が生じる。
【００５３】
これに対し、ドラムスタンド１００では、打面の向きが演奏者から視て左側または右側へ向けられることを防止できるので、打楽器の位置調整によって打楽器の演奏がしづらくなるといった不具合を解消することができる。
【００５４】
ドラムスタンド１００は、保持パイプ１０の軸方向中央部分が第１ホルダ４０を介して支柱パイプ２０に連結され、１の保持パイプ１０によって支柱パイプ２０の左側および右側の双方に打楽器が保持されている。
【００５５】
ここで、保持パイプ１０に保持された打楽器を前方または後方へ移動させるにあたり、支柱パイプ２０を軸として１の保持パイプ１０を回動させると、支柱パイプ２０の左右方向一側で１の保持パイプ１０に保持された打楽器は前方へ移動するのに対し、支柱パイプ２０の左右方向他側で１の保持パイプ１０に保持された打楽器は後方へ移動する。即ち、１の保持パイプ１０に対し、支柱パイプ２０の左右方向一側で保持された打楽器と左右方向他側で保持された打楽器との両方を、前方または後方へ移動させることができない。
【００５６】
そのため、支柱パイプを軸として保持パイプを回動させることによって、打楽器の前後位置を調整する従来のドラムスタンドでは、支柱パイプから左右方向一側へ延びる保持パイプと左右方向他側へ延びる保持パイプとを別個に設ける必要があった。
【００５７】
これに対し、ドラムスタンド１００では、支柱パイプ２０の軸方向に沿って保持パイプ１０をスライド移動させることで、１の保持パイプ１０に対して支柱パイプ２０の左右方向一側で保持された打楽器と左右方向他側で保持された打楽器との両方を、前方または後方へ移動させることができる。
【００５８】
このように、ドラムスタンド１００は、１の保持パイプ１０を支柱パイプ２０から左右両側へ延設し、１の保持パイプ１０の左右両側に打楽器を保持させることができる。よって、従来のドラムスタンドと比べて、ドラムスタンド１００の部品コストを抑制することができる。
【００５９】
さらに、１の第１ホルダ４０に１の保持パイプ１０が把持されているので、３つの保持パイプ１０のうちの１の保持パイプ１０のみの位置調整を別個に行うことができる。よって、電子打楽器の微調整を行いやすくすることができる。
【００６０】
ドラムスタンド１００は、脚部材３０が支柱パイプ２０の下端よりも後方側で床面Ｆに接地するので、前方側（演奏者から視た手前側）において、床面Ｆにペダル装置Ｐを配置するためのスペースを広く確保して演奏を行いやすくすることができると共に、ペダル装置Ｐの配置が脚部材３０によって制限されることを防止できる。
【００６１】
図３に示すように、ドラムスタンド１００は、支柱パイプ２０に対する第２ホルダ５０の取付位置を変更することによって支柱パイプ２０に対する脚部材３０の取付位置を変更し、床面Ｆに対する支柱パイプ２０の傾斜角度を変更することで、保持パイプ１０の位置調整を行うことができる。
【００６２】
即ち、第２ホルダ５０の取付位置を支柱パイプ２０の上端側へ移動させて支柱パイプ２０の床面Ｆに対する傾斜角度を小さくすることで、３本の保持パイプ１０どうしの前後方向の間隔を大きくすることができる。一方、第２ホルダ５０の取付位置を支柱パイプ２０の下端側へ移動させて支柱パイプ２０の床面Ｆに対する傾斜角度を大きくすることで、３本の保持パイプ１０どうしの前後方向の間隔を小さくすることができる。
【００６３】
なお、ドラムスタンド１００を安定させるためには、床面Ｆに対する支柱パイプ２０の傾斜角度が５５度以上かつ７５度以下の範囲内に設定されることが望ましい。また、床面Ｆに対する支柱パイプ２０が上記した範囲内となるように第２ホルダ５０の取付位置を規制したり、上記した範囲を確認できるような印を支柱パイプ２０に設けてもよい。
【００６４】
さらに、支柱パイプ２０に対する第２ホルダ５０の取付位置を変更することで、３本の保持パイプ１０の位置調整を一斉に行うことができるので、打楽器の配置を効率よく調整することができる。
【００６５】
さらに、接地部３３が球状に形成され、接地部３３の床面Ｆに接地する部位が球面状に形成されているので、支柱パイプ２０に対する脚部材３０の取付位置を変更した場合であっても、接地部３３を確実に床面Ｆに接地させてドラムスタンド１００の安定性を向上させることができる。
【００６６】
次に、図４から図６を参照して、第２実施の形態について説明する。第１実施の形態では、支柱パイプ２０に対する第１ホルダ４０又は第２ホルダ５０の取付位置を変更することにより、保持パイプ１０の位置調整を行う場合について説明したが、第２実施の形態では、支柱パイプ２２０の伸縮により、保持パイプ２１０の位置調整を行う。なお、上記した実施の形態と同一の部分については同一の符号を付して、その説明を省略する。
【００６７】
まず、図４及び図５を参照して、第２実施の形態におけるドラムスタンド２００について説明する。図４は、第２実施の形態におけるドラムスタンド２００の斜視図である。図５（ａ）は、ドラムスタンド２００の側面図であり、図５（ｂ）は、図５（ａ）のＶｂ部分を部分的に断面したドラムスタンド２００の部分拡大断面図である。
【００６８】
図４及び図５に示すように、ドラムスタンド２００は、２本の保持パイプ２１０と、それら２本の保持パイプ２１０を支持する支柱パイプ２２０と、その支柱パイプ２２０を床面Ｆに対して傾斜させた状態で支持する２本の脚部材２３０と、を主に備えている。
【００６９】
保持パイプ２１０は、湾曲したパイプ状部材から構成されている。２本の保持パイプ２１０のうち上段に位置する上段パイプ２１１は、その軸方向長さが上段パイプ２１１の下方に位置する下段パイプ２１３よりも短い寸法に設定されている。
【００７０】
支柱パイプ２２０は、直線状に延びた２本のパイプ状部材から構成されている。支柱パイプ２２０は、上側に位置する上パイプ２２１の外径が、下側に位置する下パイプ２２２の内径よりも小さな寸法に設定され、上パイプ２２１の下方部分が下パイプ２２２の内部に収容可能に構成されている。
【００７１】
支柱パイプ２２０は、下パイプ２２２に対して上パイプ２２１をその軸方向に沿って相対変位させることによって、支柱パイプ２２０の軸方向長さを調整することができる。即ち、支柱パイプ２２０は、伸縮可能に構成されている。
【００７２】
さらに、上パイプ２２１の下端には、下パイプ２２２に内嵌可能なスリーブ２２３が連結されており、このスリーブ２２３を下パイプ２２２に内嵌させることで上パイプ２２１の落下を防止しつつ、上パイプ２２１が下パイプ２２２に対して摺動することに起因する上パイプ２２１及び下パイプ２２２の損傷を抑制できる。
【００７３】
また、保持パイプ２１０は、第１ホルダ２４０を介して支柱パイプ２２０に連結されている。第１ホルダ２４０は、断面略Ｃ字状の第１把持部２４１と、その第１把持部２４１に隣接する第１締付部２４２と、第１ボルト２４３と、第１把持部２４１の周方向両端に形成された孔に挿通されて第１締付部４２の周方向両端どうしを連結する第３ボルト２４４とを備えている。
【００７４】
第１ホルダ２４０は、第３ボルト２４４の締付量を調整することにより第１把持部２４１の内径が可変に構成されている。即ち、第３ボルト２４４を締め付けて第１把持部２４１の内径を小さくすることにより、第１把持部２４１に保持パイプ２１０を固定することができ、第３ボルト２４４の締付を緩めて第１把持部２４１の内径を大きくすることにより、保持パイプ２１０に対する第１把持部２４１の固定を解除できる。
【００７５】
従って、ドラムスタンド２００では、保持パイプ２１０に対する第１ホルダ２４０の固定解除および再固定を行うことにより、保持パイプ２１０に対する第１ホルダ２４０の取付位置（支柱パイプ２２０の軸方向に直交する方向における第１ホルダ２４０の取付位置）を変更でき、その第１ホルダ２４０の取付位置の変更を通して、支柱パイプ２２０に対する保持パイプ２１０の取付位置（支持パイプ２２０に対して連結される、保持パイプ２１０の中心軸方向における位置）を変更することができる。
【００７６】
また、ドラムスタンド２００では、保持パイプ２１０に対する第１ホルダ２４０の固定解除および再固定を行うことにより、第１把持部２４１の中心軸回りに保持パイプ２１０を軸回転させることができ、その保持パイプ２１０の軸回転を通して、保持パイプ２１０に保持される打楽器の配置を調整することができる。
【００７７】
脚部材２３０は、直線状に延びるパイプ状部材から構成されている。脚部材２３０は、その一端が後述する第２ホルダ２５０を介して支柱パイプ２２０に連結され、脚部材２３０の他端には接地部３３が装着されている。
【００７８】
接地部３３は、下パイプ２２２の下端にも装着されており、ドラムスタンド２００は、下パイプ２２２の下端および２本の脚部材２３０の他端に装着された３つの接地部３３が床面Ｆに接地可能に構成されている。
【００７９】
即ち、支柱パイプ２２０は、その下端を床面Ｆに接地させた状態で脚部材２３０に支持されており、下パイプ２２２と２本の脚部材２３０とが、上パイプ２２１を支持する三脚として構成されている。
【００８０】
このように、下パイプ２２２をドラムスタンド２００の脚構造の一部として利用することで、安定した状態で支柱パイプ２２０を支持することができると共に、ドラムスタンド２００の部品コストを低減させることができる。
【００８１】
第２ホルダ２５０は、筒状に形成される２個の第２把持部２５１と、それら２個の第２把持部２５１に隣接する第２締付部２５２と、を主に備えている。
【００８２】
２個の第２把持部２５１は、脚部材２３０の一端が把持される部位であり、各々の第２把持部２５１の軸方向が異なる方向へ向けられている。
【００８３】
第２締付部２５２は、筒状の下固定部２５２ａと、その下固定部２５２ａの同軸上に位置する断面略Ｃ字状の上固定部２５２ｂと、その上固定部２５２ｂの周方向両端に形成された孔に挿通されて第１締付部４２の周方向両端どうしを連結する第２ボルト２５３とを備えている。
【００８４】
下固定部２５２ａは、下パイプ２２２の上端を把持する部位である。上固定部２５２ｂは、上パイプ２２１を締付固定する部位であり、第２ボルト２５３の締付量を調整することによって上固定部２５２ｂの内径が可変に構成されている。
【００８５】
即ち、第２ボルト２５３を強く締め付けて上固定部２５２ｂの内径を小さくすることにより、上固定部２５２ｂに上パイプ２２１が固定される。これにより、上パイプ２２１の下パイプ２２２に対する相対変位を規制して、ドラムスタンド２００使用時における支柱パイプ２２０の伸縮を防止することができる。
【００８６】
一方、第２ボルト２５３の締付を緩めて上固定部２５２ｂの内径を大きくすることにより、上固定部２５２ｂによる上パイプ２２１の固定が解除される。これにより、上パイプ２２１の下パイプ２２２に対する相対変位が可能となり、支柱パイプ２２０を伸縮させることができる。
【００８７】
このように、ドラムスタンド２００では、上パイプ２２１に対する第２ホルダ２５０の固定解除および再固定を行うことにより、支柱パイプ２２０の軸方向長さを調整することができる。
【００８８】
次に、図６を参照して、ドラムスタンド２００の使用態様について説明する。図６は、ドラムセット２０１の正面図であり、ドラムスタンド２００に複数の電子打楽器が保持された状態を図示している。なお、図６（ｂ）における支柱パイプ２２０は、図６（ａ）における支柱パイプ２２０よりも軸方向長さを短くしている。
【００８９】
図６に示すように、ドラムスタンド２００は、２本の保持パイプ２１０が第１ホルダ２４０を介して支柱パイプ２２０に連結されている。
【００９０】
支柱パイプ２２０は、床面Ｆに対して傾斜し、支柱パイプ２２０の上端（上パイプ２２１の上端）が下端（下パイプ２２２の下端）よりも後方に配置されているので、支柱パイプ２２０を伸縮させることを通して、保持パイプ２１０及び複数の打楽器の高さ位置および前後位置を変えることができる。
【００９１】
即ち、下パイプ２２２に対して上パイプ２２１をその上端側へ相対移動させることにより支柱パイプ２２０を伸張させると、上パイプ２２１に連結された保持パイプ２１０が、上方かつ後方（演奏者から視て奥側）へスライド移動する。一方、下パイプ２２２に対して上パイプ２２１をその下端側へ相対移動させることにより支柱パイプ２２０を短縮させると、上パイプ２２１に連結された保持パイプ２１０が、下方かつ前方（演奏者から視て手前側）へスライド移動する。
【００９２】
ドラムセット２０１は、支柱パイプ２２０が床面Ｆに対して傾斜し、支柱パイプ２２０の上端が下端よりも後方に配置されているので、支柱パイプ２２０を伸縮させることで、保持パイプ２１０に保持された複数の打楽器の床面からの高さ位置調整に加え、複数の打楽器の前後方向への位置調整を同時に行うことができる。
【００９３】
即ち、支柱パイプ２２０を伸長させた場合には、保持パイプ２１０を上方、かつ、後方（演奏者から視て奥側）へ移動させることができ、支柱パイプ２２０を短縮させた場合には、保持パイプ２１０を下方、かつ、前方（演奏者から視て手前側）へ移動させることができる。よって、保持パイプ２１０に保持された複数の打楽器の位置調整を効率よく行うことができる。
【００９４】
このとき、保持パイプ２１０に保持された打楽器は、支柱パイプ２２０の軸方向に沿ってスライド移動するので、打楽器の打面が演奏者から視て左側または右側へ向けられることを防止できる。よって、打楽器の位置調整に伴って打楽器の演奏がしづらくなるといった不具合を回避できる。
【００９５】
さらに、２本の保持パイプ２１０が上パイプ２２１に連結されているので、上パイプ２２１を下パイプ２２２に対して相対移動させることで、２本の保持パイプの相対的な位置関係を変更することなく、２本の保持パイプ２１０の位置調整を一斉に行うことができる。よって、打楽器の配置を効率よく調整することができる。
【００９６】
また、脚部材２３０が支柱パイプ２２０から後方へ延びており、下パイプ２２２の下端よりも後方で接地部３３が床面Ｆに接地するので、演奏者がいる前方側において、床面Ｆにペダル装置Ｐを配置するためのスペースを広く確保することができる。
【００９７】
なお、ドラムスタンド２００では、保持パイプ２１０が第１ホルダ２４０を介して上パイプ２２１に連結され、第１ホルダ２４０よりも下方に位置する第２ホルダ５０を操作することによって支柱パイプ２２０の軸方向長さを調整することができる。よって、演奏者の背が低い場合であっても、支柱パイプ２２０の伸縮を容易に行うことができる。
【００９８】
以上、実施の形態に基づき本発明を説明したが、本発明は上記各実施の形態に何ら限定されるものではなく、本発明の趣旨を逸脱しない範囲内で種々の改良変形が可能であることは容易に推察できるものである。
【００９９】
例えば、上記した保持パイプ１０，２１０の本数や形状、軸方向長さ等は一例であり、保持パイプ１０，２１０の本数や軸方向長さを変更することは当然可能である。また、各保持パイプ１０，２１０に保持する打楽器の種類や数、その打楽器を保持させるためのロッドの有無や保持パイプ１０，２１０に対する打楽器の保持方法は任意である。
【０１００】
また、各実施の形態で説明した各構成を、他の実施の形態で説明した各構成と入れ替えてもよく、各実施の形態で説明した各構成に、他の実施の形態の各構成を組み合わせたり追加してもよい。例えば、第１実施の形態で説明した、直線状の保持パイプ１０を、第２実施の形態で説明した、湾曲した保持パイプ２１０と代替してもよく、第１実施の形態で説明した支柱パイプ２０を、第２実施の形態で説明した、伸縮可能な支柱パイプ２２０と代替してもよい。
【０１０１】
上記各実施の形態では、ドラムスタンド１００，２００に対して電子打楽器を保持させる場合ついて説明したが、必ずしもこれに限られるものではなく、アコースティックの打楽器や練習用の打楽器を保持させることは当然可能である。
【０１０２】
上記各実施の形態では、保持パイプ１０，２１０が第１ホルダ４０，２４０を介して支柱パイプ２０，２２０に連結される場合について説明したが、必ずしもこれに限られるものではなく、保持パイプ１０，２１０を支柱パイプ２０，２２０に対して溶接等により固着させてもよい。これにより、第１ホルダ４０，２４０を不要として、部品コストを抑制することができる。
【０１０３】
同様に、上記第１実施の形態では、脚部材３０が第２ホルダ５０を介して支柱パイプ２０に連結される場合について説明したが、必ずしもこれに限られるものではなく、脚部材３０を支柱パイプ２０に対して溶接等により固着させてもよい。これにより、第２ホルダ５０を不要として、部品コストを抑制することができる。
【０１０４】
上記した各実施の形態では、接地部３３が球状に形成される場合について説明したが、必ずしもこれに限られるものではなく、他の形状であってもよい。他の形状としては、床面Ｆに接地する部位が部分的に球面状に形成された半球状に形成されたものや、床面Ｆに接地する部位が平坦面状に形成されたもの等が例示される。
【０１０５】
上記各実施の形態では、保持パイプ１０，２１０の軸方向中央部分を支柱パイプ２０，２２０に連結し、保持パイプ１０，２１０が演奏者から視て支柱パイプ２０，２２０の左右方向両側に延びる場合について説明したが、必ずしもこれに限られるものではなく、保持パイプの軸方向端部を支柱パイプ２０，２２０に連結し、演奏者から視て支柱パイプ２０，２２０の左側に延びる保持パイプと、演奏者から視て支柱パイプ２０，２２０の右側に延びる保持パイプとを別個に設けてもよい。
【０１０６】
上記第１実施の形態では、脚部材３０が略Ｔ字状に連結された２本のパイプ部材から構成され、上記第２実施の形態では、脚部材２３０が直線状に延びる２本のパイプ状部材から構成される場合について説明したが、必ずしもこれに限られるものではなく、脚部材３０として他の態様を採用してもよい。他の態様としては、例えば、脚部材２３０が直線状または湾曲形成された２本以上の棒状部材から構成されるもの等が例示される。
【０１０７】
また、接地部３３の床面Ｆに接地する部位に滑り止め加工を施してもよい。滑り止め加工としては、床面Ｆに接地する部位に突起部を形成するもの等が例示される。
【０１０８】
上記第１実施の形態では、第２把持部５１の中心軸と第２締付部５２の中心軸とが互いに垂直となるように構成される場合について説明したが、必ずしもこれに限られるものではなく、第２把持部５１の中心軸と第２締付部５２の中心軸とは互いに垂直でなくてもよい。また、第２把持部５１の中心軸と第２締付部５２の中心軸との角度が可変に構成されていてもよい。
【０１０９】
上記第１実施の形態では、第１脚部３１が直線状に形成され、第２脚部３２が湾曲形成される場合について説明したが、必ずしもこれに限られるものではなく、第１脚部３１が湾曲形成され、第２脚部３２が直線状に形成されていてもよい。また、第１脚部３１及び第２脚部３２の双方を直線状に形成してもよく、双方を湾曲形成してもよい。
【０１１０】
上記第１実施の形態では、第２ホルダ５０が第１ホルダ４０よりも下方で支柱パイプ２０に連結される場合について説明したが、必ずしもこれに限られるものではなく、第２ホルダ５０を、複数の第１ホルダ４０の間または第１ホルダ４０よりも上方で支柱パイプ２０に連結してもよい。
【０１１１】
上記第２実施の形態では、上パイプ２２１の外径が下パイプ２２２の内径よりも小さな寸法に設定され、上パイプ２２１の下方部分が下パイプ２２２の内部に収容される場合について説明したが、必ずしもこれに限られるものではなく、下パイプ２２２の外径を上パイプ２２１の内径よりも小さな寸法に設定し、下パイプ２２２の上方部分が上パイプ２２１の内部に収容されるように構成してもよい。この場合、支柱パイプ２２０を伸縮させた際に、第１ホルダ２４０と第２ホルダ２５０との間隔を維持したまま支柱パイプ２２０の軸方向長さを変更できるので、第１ホルダ２４０と第２ホルダ２５０との干渉を防止できると共に、保持パイプ２１０をより下方に配置することができる。
【符号の説明】
【０１１２】
１００，２００                        ドラムスタンド
１０，２１０                          保持パイプ（第１パイプ）
１１，２１１                          上段パイプ（第１パイプ）
１２                                  中段パイプ（第１パイプ）
１３，２１３                          下段パイプ（第１パイプ）
２０，２２０                          支柱パイプ（第２パイプ）
２２１                                上パイプ（第２パイプの一部）
２２２                                下パイプ（第２パイプの一部）
３０，２３０                          脚部材
３１                                  第１脚部
３２                                  第２脚部
３３                                  接地部
４０，２４０                          第１ホルダ
５０，２５０                          第２ホルダ
Ｆ                                    床面
【図１】
2016014744.tif 000003
【図２】
2016014744.tif 000004
【図３】
2016014744.tif 000005
【図４】
2016014744.tif 000006
【図５】
2016014744.tif 000007
【図６】
2016014744.tif 000008